(57)【特許請求の範囲】
【請求項１】
放射線被ばく量を検知すべき身体の部位に巻き付ける生地へ、放射線変色性組成物含有層が、格子状または縞状に分画されつつ該部位に合わせて付されており、前記分画された隣あう画分ごとの放射線変色性組成物含有層が、異なる感度で変色し、かつ異なる色調へ変色する別々な前記放射線変色性組成物で形成されていることを特徴とする放射線被ばく管理インジケータ帯。
【請求項２】
前記格子状が碁盤目状、または前記縞状が等間隔になっていることを特徴とする請求項１に記載の放射線被ばく管理インジケータ帯。
【請求項３】
前記分画された画分ごとに、識別符号が付されていることを特徴とする請求項１に記載の放射線被ばく管理インジケータ帯。
【請求項４】
前記変色が、前記分画された各画分の色調と被ばく量に応じた標準色とを目視で比較して放射線被ばく量を検知するものであり、または前記分画された各画分の色差と被ばく量に応じて予め被ばくさせた別な放射線変色性組成物含有層の色差とを比較して放射線被ばく量を検知するものであることを特徴とする請求項１に記載の放射線被ばく管理インジケータ帯
【請求項５】
前記放射線変色性組成物含有層が、前記生地に貼付された基材に前記放射線変色性組成物で印刷され、または前記放射線変色性組成物で生地に直接印刷されたものであることを特徴とする請求項１に記載の放射線被ばく管理インジケータ帯。
【請求項６】
前記生地が、長尺の一枚布であることを特徴とする請求項１に記載の放射線被ばく管理インジケータ帯。
【発明の詳細な説明】
【技術分野】
【０００１】
本発明は、放射線診療が施される患者や放射線照射を行なう作業者の安全性を確認するために用いられ、被ばくした線量や位置を管理する放射線被ばく管理インジケータ帯に関する。
【背景技術】
【０００２】
Ｘ線のような放射線を用いた診療は、病変を的確に判断したり局所的に治療したりするものである。放射線診療には、悪性腫瘍病巣に体外から放射線を照射する放射線療法や、放射線画像誘導下の経皮的手技により放射線を背中側から照射する低侵襲性のインターベンショナル・ラジオロジー（Ｉｎｔｅｒｖｅｎｔｉｏｎａｌ  Ｒａｄｉｏｌｏｇｙ：ＩＶＲ）療法などの施術方法が行なわれている。
【０００３】
放射線診療の際、患者が過度に被ばくしたり放射線障害を引き起こしたりしないように、患者の特定な部位での被ばく線量を正確に検出したり予測したり、同一部位での過度の重複被ばくを回避したりして、被ばくを厳密に管理することが重要である。
【０００４】
この管理のため、特許文献１に開示されているように、被ばく量に応じた色調変化によって被ばく量を表示する感放射線組成物塗布シートが用いられる。このシートは、放射線被ばく量が多いほど濃く変色するので、放射線被ばく位置近傍で、誤認し易い同系色の広範なグラデーションの色調変化により被ばく量を表示する。このような不明確な色調変化を観察しても、放射線診療が行われる際に最も注意すべき患者の照射位置近傍の皮膚の特定位置とグラデーションの色調変化との対応がとり難いため、この特定位置への被ばく量を正確かつ厳密に管理するのが困難である。
【０００５】
またこのシートごと、手術着や手術帽に単に貼付する場合、任意の位置への被ばく量を正確かつ厳密に管理するのが困難である。
【０００６】
【特許文献１】特表２００５−５０２０５１号公報
【発明の開示】
【発明が解決しようとする課題】
【０００７】
本発明は前記の課題を解決するためになされたもので、患者への放射線診療を施術する際に、簡便に着脱でき、身体の任意部位での放射線被ばく量や被ばく位置を明瞭で確認し易い色調の変化で正確に表示したり、正確に検知したりして、被ばくを管理するためのインジケータ帯を提供する。
【課題を解決するための手段】
【０００８】
前記の目的を達成するためになされた特許請求の範囲の請求項１に記載の放射線被ばく管理インジケータ帯は、放射線被ばく量を検知すべき身体の部位に巻き付ける生地へ、放射線変色性組成物含有層が、格子状または縞状に分画されつつ該部位に合わせて付されており、前記分画された隣あう画分ごとの放射線変色性組成物含有層が、異なる感度で変色し、かつ異なる色調へ変色する別々な前記放射線変色性組成物で形成されていることを特徴とする。
【０００９】
請求項２に記載の放射線被ばく管理インジケータ帯は、前記格子状が碁盤目状、または前記縞状が等間隔になっていることを特徴とする。
【００１０】
請求項３に記載の放射線被ばく管理インジケータ帯は、前記分画された画分ごとに、識別符号が付されていることを特徴とする。
【００１１】
請求項４に記載の放射線被ばく管理インジケータ帯は、前記変色が、前記分画された各画分の色調と被ばく量に応じた標準色とを目視で比較して放射線被ばく量を検知するものであり、または前記分画された各画分の色差と被ばく量に応じて予め被ばくさせた別な放射線変色性組成物含有層の色差とを比較して放射線被ばく量を検知するものであることを特徴とする。
【００１２】
請求項５に記載の放射線被ばく管理インジケータ帯は、前記放射線変色性組成物含有層が、前記生地に貼付された基材に前記放射線変色性組成物で印刷され、または前記放射線変色性組成物で生地に直接印刷されたものであることを特徴とする。
【００１３】
請求項６に記載の放射線被ばく管理インジケータ帯は、前記生地が、長尺の一枚布であることを特徴とする。
【発明の効果】
【００１４】
本発明の放射線被ばく管理インジケータ帯は、患者の頭、首、肩、胸、腹、横腹、臀部、脇、腕、または脚等のような放射線被ばくを管理すべき部位に、インジケータを設置することができ、また如何なる体型の患者にも使用することができるため、汎用性が高い。また可撓可能で帯状であるため、患者等へ密着させながら任意の位置へ、簡便に巻き付けることができ、かつ簡便に取り外すこともできる。しかも簡易な構造で安価であるため、生産性が高い。
【００１５】
さらに、放射線変色性組成物や放射線検知素子が格子状または縞状に分画され付されているのでそれに対応する患者の体表、特に管理すべき患者等の照射位置近傍の皮膚での放射線被ばく量や位置を正確に検知することができる。放射線被ばく量や位置の検知は、放射線変色性組成物や放射線検知素子の色調の変化やデジタル量とするデータとして得られる。このデータに基づき、患者の体表の立体的な特定部位での放射線被ばく量を集計してデータ管理したり、放射線診療の際に懸念される同一部位への被ばく量を低減したりすることができる。隣り合う画分ごとに、異なる感度を有していたり異なる色調に変色する複数の放射線変色性組成物が付されていたりすると、一層顕著である。
【発明を実施するための最良の形態】
【００１６】
以下、本発明の実施例を詳細に説明するが、本発明の範囲はこれらの実施例に限定されるものではない。
【００１７】
実施例に対応する図１を参照しながら、放射線被ばく管理インジケータ帯１を説明する。
【００１８】
図１は広げた放射線被ばく管理インジケータ帯の背面図である。放射線被ばく管理インジケータ帯１は、矢印方向に曲げて正面側で患者に巻き付けるものである。この帯１は、吸水性の一枚布の生地１０でできている。生地１０は、患者の胴体を一重に巻き得る横長であって、その横長の一端に近づくにつれ先細りになっている。生地１０は、放射線被ばく量を検知すべき患者の背中を巻き得る縦幅を有している。
【００１９】
放射線被ばく量を検知すべき患者の背中に合わせて、生地１０の背面側で横長の他端寄りに、放射線被ばく量検知材として放射線被ばく量検知インジケータ１１である放射線変色性組成物含有インキ層の画分１３が、付されている。放射線組成物含有インキ層は、ハロゲン基とアセタール基との少なくともいずれかの基および水酸基を有する高分子化合物と、呈色性の電子供与体有機化合物と、被ばく線量に応じて電子供与体有機化合物を呈色させる活性種生成有機化合物と、放射線吸収剤および／または放射線蛍光剤とを含む組成物が印刷されたものである。インジケータ１１の放射線組成物含有インキ層上に、縦横７列ずつの格子状に分画する格子線１４と、分画された画分１３ごとの固有な識別符号１２である「Ａ１・・・Ａ７」ないし「Ｇ１・・・Ｇ７」とが印刷されている。
【００２０】
前記放射線変色性組成物が、高分子化合物と、電子供与体有機化合物と、活性種生成有機化合物と、放射線吸収剤および／または放射線蛍光剤とを含む組成物の代わりに、ポリアセチレン化合物とジアリールエテン化合物とフルギド化合物との少なくともいずれかを含む組成物であってもよい。
【００２１】
放射線被ばく管理インジケータ帯１は、以下のようにして使用される。
【００２２】
図１は、患者の背中の中央部で放射線を被ばくする場合の使用例である。
【００２３】
図１に示すように、先ず、放射線被ばく量検知インジケータ１１を外向きにして、放射線被ばくが予想される患者体表部位を覆うように、インジケータ１１を設置する。患者の体型にぴったり合うように調整しながら、放射線被ばく管理インジケータ帯１を患者に巻き付ける。放射線被ばく管理インジケータ帯１の両端を、医療現場で頻繁に使用されているサージカルテープや絆創膏で貼り合わせて、固定する。放射線被ばく管理インジケータ帯１の設置状況を写真撮影しておく。患者を放射線診療施術台に、仰向けで横たえる。
【００２４】
施術台の下に設けられた放射線照射装置（不図示）から、患者へ向けて放射線を照射する。すると、放射線の被ばく量に応じて、インジケータ１１の複数の分画１３にわたって、グラデーションの色調の変化が引き起こされる。
【００２５】
施術後、サージカルテープを剥がし、患者を僅かに持ち上げつつ、患者の腋下から、放射線被ばく管理インジケータ帯１を、その横長方向に向けて、引抜く。
【００２６】
インジケータの色調を目視により観察し、各画分１３の色調と被ばく量に応じた標準色とを比較して、放射線被ばく量を検知する。インジケータの画分１３を色差計で測定し、各画分の色差と放射線被ばく量に応じて予め被ばくさせた別なインジケータの色差とを比較して放射線被ばく量を検知してもよい。施術前の放射線被ばく管理インジケータ帯の撮影写真と比較して、患者のインジケータ設置位置を特定し、インジケータ１１の画分１３ごとに示される被ばく量をカルテに書き込んだ。
【００２７】
この患者に再び放射線診療を施す際、この放射線被ばく管理インジケータ帯１を同様に巻き付け、放射線を照射すると、累積的な被ばく量に応じて、インジケータ１１の各分画１３の色調が、変化する。
【００２８】
この放射線被ばく管理インジケータ帯１の呈色のメカニズムは以下のように推察される。まずインジケータ１１中の放射線吸収剤が、インジケータに照射された放射線を吸収・散乱し、光電効果、コンプトン効果、電子を放出した電子対生成の現象を起こす。放射線励起蛍光剤でも同様な現象とともに蛍光リン光発光現象を起こす。これら現象により活性種生成有機化合物から電子受容性を有する活性種が生成され、混在している呈色性の電子供与体有機化合物の電荷移動を誘発する。すると電子供与体化合物は、その電子密度が変化するため呈色し、これによりインジケータ１１が変色する。
【００２９】
この呈色したインジケータ１１は、退色せず、色相が変化しないため、被ばく線量を示す証拠として、長期間保存できる。そのメカニズムの詳細は不明だが、高分子化合物の水酸基が放射線照射によって水素イオン等の電子受容体を生じさせ、呈色した電子供与体化合物等を安定化させるため、退色しなくなるものと考えられる。特に高分子化合物中の水酸基は、ハロゲン基またはアセタール基が共存することで、水素イオン等の電子受容体をより一層生成させ易くする。
【００３０】
このインジケータ１１は、０．０５〜２５，０００Ｇｙの広範囲の放射線被ばく量を表示でき、従来よりも低線量での変色が可能である。その詳細は不明であるが、高分子化合物が、呈色した電子供与体有機化合物等を安定化させ、また組成物中に比較的多量に含まれているため低被ばく線量でも明瞭な呈色を引き起こすためと考えられる。
【００３１】
放射線被ばく管理インジケータ帯１を構成する原材料の具体例は、以下の通りである。
【００３２】
生地は、術中の患者から発生する汗を吸収できる素材であり、患者の体表にフィットし、かつ施術する際の位置決めがずれないように伸縮し難い天然繊維製や合成樹脂製の素材、例えばガーゼのような織布、不織布が挙げられる。
【００３３】
留具は、放射線照射を阻害しない樹脂製、布製のもので、マジックテープ（株式会社クラレの登録商標）のような面ファスナー、スライドファスナー、ホック、ボタン、紐、粘着テープ、絆創膏が好ましい。中でも、入手が容易であり、患者の皮膚への粘着が可能で放射線被ばく管理インジケータ帯の固定が容易な、サージカルテープや絆創膏が一層好ましい。
【００３４】
放射線被ばく量検知材は、ＩＶＲ施術中の画像の妨げとならないものが好ましい。
【００３５】
その一例であるインジケータ１１は、放射線呈色性組成物をプラスチックフィルムや紙のような基材に印刷して、この基材を生地に貼付したものであってもよく、放射線呈色性組成物を生地に直接印刷したものであってもよい。画分１３は、一辺０．５〜４０ｃｍ正方形、長方形、菱形または三角形で格子状に分画されたものであることが好ましく、０．５〜４０ｃｍの間隔で横縞状または縦縞状に分画されたものであってもよい。画分１３に付された識別符号１２は、文字、数字、記号、模様が印刷されたものであってもよい。識別符号１２や格子線１４を印刷するインキは、放射線照射を阻害しないものであれば特段限定されない。
【００３６】
画分１３が格子状または縞状に分画されていると、インジケータ１１のグラデーションとなっている色調の変化が、複数の画分１３にわたり、振り分けられるので、目視により濃淡や位置の確認が簡易かつ正確となる。
【００３７】
インジケータ１１の各画分１３は、格子線１４が印刷されることにより分画されていてもよい。
【００３８】
図２に示すように隣り合う格子状の各画分１３間が、僅かに隙間を空けて並べられていてもよい。
【００３９】
図３に示すように隣り合う縞状の各画分１３間が、僅かに隙間を空けて並べられていてもよく、縞状の各画分が、格子線１４でさらに細分されていてもよい。
【００４０】
インジケータ１１の各画分１３が、格子状または縞状であると、隣り合う画分との色調の対比が一層明瞭となる。
【００４１】
図４に示すように、縞状の隣り合う各画分に、異なる感度の複数の放射線変色性組成物、または異なる色調へ変色する複数の放射線変色性組成物が、付されていてもよく、縞状の各画分が、格子線１４でさらに細分されていてもよい。隣り合う格子状の各画分１３ごとに、異なる感度の別な放射線変色性組成物や異なる色調へ変色する別な放射線変色性組成物が、付されていてもよい。
【００４２】
放射線変色性組成物は、プラスチックフィルムのような基材に印刷され、保護フィルムで覆われていてもよい。
【００４３】
放射線呈色性組成物は、高分子化合物と、呈色性の電子供与体有機化合物と、活性種生成有機化合物と、放射線吸収剤および／または放射線蛍光剤とを含む組成物に代えて、ポリアセチレン化合物とジアリールエテン化合物とフルギド化合物との少なくともいずれかを含む組成物であってもよい。
【００４４】
前記高分子化合物が下記式（１）
【化１】
0004686338.tif 000002
【００４５】
（上記式中、Ｘはハロゲン原子、−Ｒ１は水素原子、シアノ基、アルキル基、アリール基、アルコキシ基、アルコキシカルボニル基、アセトキシ基のような脂肪族カルボニルオキシ基、カルボキシル基、アリールオキシ基、アラルキル基、またはアラルコシ基を示し、ｌ、ｍ、ｎは任意の比率。）で示される高分子化合物、および、下記式（２）
【００４６】
【化２】
0004686338.tif 000003
【００４７】
（上記式中、−Ｒ２および−Ｒ３は、同一または異なり、水素原子、シアノ基、アルキル基、アリール基、アルコキシ基、アルコキシカルボニル基、アセトキシ基のような脂肪族カルボニルオキシ基、カルボキシル基、アリールオキシ基、アラルキル基、またはアラルコシ基を示し、ｐ、ｑ、ｒは任意の比率。）で示される高分子化合物から選ばれるものであることが好ましい。これらの高分子化合物は、単独でも、複数混合して用いてもよいし、また他の高分子化合物を混合してもよい。
【００４８】
前記呈色性の電子供与体有機化合物は、通常無色または淡色で、ブレンステッド酸、ルイス酸等の活性種、すなわち電子受容体の作用で発色する性質を有するものである。具体的には、トリフェニルメタンフタリド類例えばクリスタルバイオレットラクトン、マラカイトグリーンラクトン；フルオラン類例えば３−ジエチルアミノベンゾ−α−フルオラン、３−ジエチルアミノ−７−クロロフルオラン、３−ジエチルアミノ−７−ジベンジルアミノフルオラン、３，６−ジメトキシフルオラン；フェノチアジン類例えば３，７−ビスジメチルアミノ−１０−（４’−アミノベンゾイル）フェノチアジン；インドリルフタリド類例えば３，３−ビス（１−エチル−２−メチルインドール−３−イル）フタリド、３，３−ビス（１−ｎ−ブチル−２−メチルインドール−３−イル）フタリド；ロイコオーラミン類例えばＮ−（２，３−ジクロロフェニル）ロイコオーラミン、Ｎ−フェニルオーラミン；ローダミンラクタム類例えばローダミン−β−ｏ−クロロアミノラクタム；ローダミンラクトン類例えばローダミン−β−ラクトン；インドリン類例えば２−（フェニルイミノエタンジリデン）−３，３’−ジメチルインドリン、ｐ−ニトロベンジルロイコメチレンブルー、ベンゾイルロイコメチレンブルー；トリアリールメタン類例えばビス（４−ジエチルアミノ−２−メチルフェニル）フェニルメタン、トリス（４−ジエチルアミノ−２−メチルフェニル）メタンが挙げられる。それらは、単独で用いられてもよく、複数種混合して用いられてもよい。
【００４９】
前記活性種生成有機化合物は、放射線の照射により不可逆的に活性種が生じるもので、ハロゲン基を有する化合物例えば四臭化炭素、トリブロモエタノール、トリブロモメチルフェニルスルホン等のハロゲン化アルキルやトリブロモメチル誘導体が挙げられる。
【００５０】
前記放射線吸収剤は、バリウム、イットリウム、銀、スズ、ハフニウム、タングステン、白金、金、鉛、ビスマス、ジルコニウム、ユウロピウム、セリウムの金属、および前記金属を含む化合物例えばそれらの金属の硫酸塩、炭酸塩、硝酸塩が挙げられる。それらは、単独で用いられてもよく、複数種混合して用いられてもよい。
【００５１】
前記放射線励起蛍光剤は、CaWO4、MgWO4、HfP2O7で示される塩、ZnS:Ag、ZnCdS:Ag、CsI:Na、CsI:Tl、BaSO4:Eu2+、Gd2O2S:Tb3+、La2O2S:Tb3+、Y2O2S:Tb3+、Y2SiO5:Ce、LaOBr:Tm3+、BaFCl:Eu2+、BaFBr:Eu2+で示される焼成物が挙げられる。ZnS:Agの焼成物は、硫化亜鉛を主成分とし、重金属賦活剤である銀を加えて焼成したものである。他の焼成物も同様にして得られる。それらは、単独で用いられてもよく、複数種混合して用いられてもよい。
【００５２】
放射線呈色性組成物は、高分子化合物５〜５０重量部と、呈色性の電子供与体有機化合物０．０１〜５０重量部と、活性種生成有機化合物０．１〜５０重量部と、放射線吸収剤や放射線励起蛍光剤０．１〜５００重量部とを含んでいることが好ましい。
【００５３】
放射線呈色性組成物は、物質の種類及び配合比を調整することにより、変色後の色相、色の濃淡及び変色速度の調節が可能である。
【００５４】
放射線呈色性組成物は、前記高分子化合物を溶剤に溶解させて媒体とし、インキや塗料にして用いてもよい。媒体は、高分子化合物５〜５０重量部に対し、溶剤５０〜９５重量部を含むことが好ましい。
【００５５】
溶剤としては、メタノール、エタノール、イソプロパノール、ブチルアルコール、ヘキシルアルコール、酢酸メチル、酢酸エチル、酢酸プロピル、酢酸イソブチル、酢酸ブチル、アセトン、２−ブタノン、シクロヘキサン、イソホロン、メチルエチルケトン、４−メチル−２−ペンタノン、エチルエーテル、イソプロピルエーテル、テトラヒドロフラン、ジオキサン、メチルセロソルブ、エチルセロソルブ、ブチルセロソルブ、２−へキサン、イソオクタン、ソルベントナフサ、メチレンクロライド、プロピレンクロライド、エチレンクロライド、クロロホルム、ジクロルエタン、１，１，２−トリクロルエタン、四塩化炭素、ベンゼン、トルエン、キシレン、クロルベンゼン、Ｎ，Ｎ−ジメチルホルムアミド、Ｎ−メチル−２−ピロリドン、ジメチルスルホキシド、酢酸から選ばれる少なくとも一種類の化合物が好ましい。これらの溶剤は、単独で用いてもよく、複数混合して用いてもよい。また、高分子化合物を溶解させる溶剤はすべて使用可能である。
【００５６】
放射線呈色性組成物は、消泡剤、界面活性剤、凝固剤のような添加剤を含んでいてもよい。
【００５７】
インジケータ１１は、透明または半透明の保護フィルム１８で被覆されていてもよい。
【００５８】
保護フィルム１８は、紫外線を遮断したり、術中の大量な発汗等の水分を遮断したりして、インジケータ１１を保護するものである。例えばポリエステル、ポリスチレン、ポリカーボネート、ポリエチレンテレフタレート、ポリイミド、またはポリプロピレンのフィルム、およびこれらのフィルムに紫外線吸収剤を混入もしくは積層させたものが挙げられる。
【００５９】
インジケータ１１の傍に、前記インキ層の変色前または放射線被ばく量に応じた変色後の色相に近似する色素が付されていてもよい。
【００６０】
インジケータ１１の基材１６は、ポリエステル、ポリスチレン、ポリカーボネート、ポリエチレンテレフタレート、ポリイミド、ポリプロピレンの樹脂製または紙製であることが好ましい。
【００６１】
放射線呈色性組成物は、ポリアセチレン化合物やジアリールエテン化合物やフルギド化合物を含むものであってもよく、さらに縮合多環芳香族化合物を含むものであってもよい。
【００６２】
ポリアセチレン化合物として、例えば、ジアセチレン化合物、より具体的にはジアセチレン基を有するカルバゾール類が挙げられる。
【００６３】
ジアリールエテン化合物として、アルキル基やアルコキシ基やハロゲン基やアリール基やヘテロアリール基のような置換基で置換されていてもよいアリール基を１、２位に有するジアリールペルフルオロシクロペンテンで例示されるジアリールエテン類；アルキル基やアルコキシ基やハロゲン基やアリール基やヘテロアリール基のような置換基で置換されていてもよいヘテロアリール基を１、２位に有するジヘテロアリールペルフルオロシクロペンテン、より具体的には、１，２−ビス［２−メトキシ−５−フェニル−３−チエニル］ペルフルオロシクロペンテンのようなジヘテロアリールエテン類が挙げられる。
【００６４】
フルギド化合物として、ビスメチレン無水コハク酸類が挙げられる。
【００６５】
縮合多環芳香族化合物として、ナフタレン、アントラセン、フェナンスレン、フルオレン、ベンゾフラン、ベンゾフラン、ベンゾチオフェン、インドールが挙げられる。
【００６６】
放射線被ばく量検知材として、放射線被ばく量検知インジケータを用いた例を示したが、放射線を検知したり放射線線量を計測したりする線量計に用いられる放射線被ばく量検知素子を用いてもよい。放射線被ばく量検知インジケータと放射線被ばく量検知素子とを組み合わせて用いてもよい。放射線被ばく量検知材の形状は、シート状、カード状、チップ状、箱状の何れであってもよい。
【００６７】
放射線被ばく量検知素子の具体例は、次の通りである。例えば、放射線で被ばくしたガラスに紫外線を照射すると蛍光するというラジオフォトルミネセンス（ＲＰＬ：Radio Photo Luminescence ）現象を利用した蛍光ガラス線量計に用いられるガラスのようなＲＰＬ素子；固体の熱ルミネセンス現象を利用した熱ルミネセンス線量計（ＴＬＤ：Termo Luminescence Dosimeter)に用いられるＴＬＤ素子；放射線との相互作用によりそのエネルギーを蓄積した物質に光照射を加えると蛍光する光刺激ルミネセンス現象を利用した光刺激ルミネセンス線量計(ＯＳＬ：Optically Stimulated Luminescence Dosimeter）に用いられるＯＳＬ素子;フィルタ付きの写真フィルムが放射線で黒化する現象を利用した感放射線フィルムバッチ；放射線が絶縁性固体を通過する際に損傷させる現象を利用した固体飛跡検出器に用いられる絶縁性固体素子；予め電荷を充電した電離箱内に入射した放射線での電離作用によって放電する現象を利用した電離箱式線量計に用いられる電極素子；半導体の電離作用を利用した半導体検出器に用いられる半導体素子；イメージングプレートのような輝尽発光検出素子（ＩＰ素子）が挙げられる。
【実施例】
【００６８】
本発明を適用する放射線被ばく管理インジケータ帯の試作例を、実施例１〜３に示す。
【００６９】
（実施例１）
高分子化合物である塩化ビニル・酢酸ビニル・ポリビニルアルコール共重合体を、溶剤であるトルエン／エタノール（１：１）に溶解させて２５％溶液の媒体を調製した。調製した媒体１００重量部に呈色性の電子供与体有機化合物として、フルオラン類である２−（２−クロロアニリノ）−６−ジブチルアミノフルオラン１０重量部、放射線活性剤としてトリブロモエタノール１０重量部、放射線吸収剤として酸化セリウム２０重量部を混合してインクとし、放射線照射量履歴インジケータ用組成物を得た。このインクは放射線被ばくすると、放射線被ばく量が多いほど黒っぽく変色するものである。うら面に粘着剤が付されたポリエチレンフィルム製基材のおもて面に、得られた組成物を層状に塗布した後、乾燥し、被ばく線量検知インジケータを調製した。
【００７０】
図１に示すようにこのインジケータ１１を、検知すべき身体の部位に合うように生地１０に貼付し、放射線被ばく管理インジケータ帯１を得た。
【００７１】
患者に放射線被ばく管理インジケータ帯１を巻き付け、インジケータ１１が検知すべき身体の部位に合うように調整し、緩んだり外れたりしないようにサージカルテープで固定し、数分で放射線照射診療の準備が完了した。施術前に、この患者の患者に放射線被ばく管理インジケータ帯１を写真撮影した。
【００７２】
Ｘ線によるＩＶＲ施術を行なった。その後、サージカルテープを剥がし、患者を数センチ持ち上げて、この隙間から放射線被ばく管理インジケータ帯１を引抜いて僅か数秒で取り外すことができた。
【００７３】
ＩＶＲ施術を行なうことにより放射線が照射された分画は、放射線被ばく量に応じて色調が黒っぽく変化していた。さらに放射線被ばく管理インジケータ帯１の色調の変化を写真撮影して、施術前の写真と対比し、患者の被ばく位置を特定した。画分１３ごとに、色調の変色程度から被ばく量を推定した値と識別符号１２とをカルテに記載した。
【００７４】
（実施例２）
高分子化合物である塩化ビニル・酢酸ビニル・ポリビニルアルコール共重合体を、溶剤であるトルエン／エタノール（１：１）に溶解させて２５％の媒体を調整した。調整した媒体１００重量部に対し、呈色性の電子供与化合物として、フルオラン類である３−ジメチルアミノ−５−メチル−７−ジフェニルアミノ−フルオラン１００重量部、放射線活性剤としてトリブロモエタノール１０重量部及び、放射線吸収剤として酸化セリウム２０重量部を混合して第一のインクを調製した。感度を変えるために、第一のインクのうち、放射線活性剤を５重量部用いたこと以外は第一のインクと同様にして、第二のインクを調製した。なお、これらのインクは放射線被ばくすると、放射線被ばく量に応じ、淡緑ないし濃緑に変色するものである。
【００７５】
図４に示すように、ポリエチレンフィルム製の基材１６上へ、第一および第二のインクを交互で縞状に塗布し、乾燥させ、柔軟なポリエチレンテレフタレート製フィルムで覆った後、生地１０に貼付し、放射線被ばく管理インジケータ帯１を得た。
【００７６】
放射線被ばく管理インジケータ帯１に、放射線を照射したところ、目視により両インキの各画分１３はいずれも色調が変化していると確認されたが、色調の変化の程度の相違が確認できなかった。色差計を用いると、放射線被ばく量に応じた色調の変化の程度の相違がデジタル量として検知できた。
【００７７】
（実施例３）
実施例２の第二のインクに代えて、変色後の色調を変えるために呈色性の電子供与化合物として３−ジメチルアミノベンゾ｛ａ｝フルオランを用いたこと以外は、実施例２と同様にして、放射線被ばく管理インジケータ帯１を得た。
【００７８】
放射線被ばく管理インジケータ帯１に、放射線を照射したところ、目視により、放射線被ばく量に応じた両インキの各画分１３の色調の変化の程度が確認できた。色差計を用いると、放射線被ばく量に応じた色調の変化の程度の相違が確認できた。色差計を用いると、放射線被ばく量に応じた色調の変化の程度の相違がデジタル量として検知できた。
【００７９】
なお、放射線被ばく量検知インジケータに代えて、ＲＰＬ素子、ＴＬＤ素子、ＯＳＬ素子、フィルムバッチ、絶縁性固体素子、電極素子、半導体素子、ＩＰ素子のような放射線被ばく量検知素子を用いても、放射線被ばく量を、デジタル量、または色調の変化として、検知することができた。
【００８０】
また、Ｘ線の他、ガンマ線、中性子線、陽子線、重粒子線、電子線等の放射線を照射する放射線療法でも同様の結果が得られた。
【産業上の利用可能性】
【００８１】
放射線被ばく管理インジケータ帯は、放射線診療の際の患者や、放射線計測の際の作業者の放射線被ばく量を管理するために用いられる。
【図面の簡単な説明】
【００８２】
【図１】本発明を適用する放射線被ばく管理インジケータ帯の背面図である。
【００８３】
【図２】本発明を適用する別な放射線被ばく管理インジケータ帯の部分背面図である。
【００８４】
【図３】本発明を適用する別な放射線被ばく管理インジケータ帯の部分背面図である。
【００８５】
【図４】本発明を適用する別な放射線被ばく管理インジケータ帯の部分背面図である。
【符号の説明】
【００８６】
１は放射線被ばく管理インジケータ帯、１０は生地、１１は放射線被ばく量検知インジケータ、１２は識別符号、１３は画分、１４は格子線である。
【図１】
0004686338.tif 000004
【図２】
0004686338.tif 000005
【図３】
0004686338.tif 000006
【図４】
0004686338.tif 000007